(57)【要約】【課題】濾過水をフィルタ装置から取り出すポンプの吸引圧を好適に調節できる濾過装置を提供する。【解決手段】本発明の濾過装置２０は、被除去物を含む流体が収納されるタンク５０と、タンク５０内に浸漬される第１のフィルタとその表面に堆積した被除去物から成る第２のフィルタとで形成されるフィルタ装置５３と、パイプ５６を介してフィルタ装置５３と接続されたポンプ５７とを有し、第２のフィルタはポンプ５７の吸引圧により第１のフィルタを流体が通過することにより形成され、第２のフィルタが形成されたフィルタ装置５３を、ポンプ５７の吸引圧により流体が通過することで前記流体は濾過され、前記第２のフィルタを形成する工程では、前記流体を濾過する工程よりもポンプ５７の吸引圧が大きい構成と成っている。【選択図】  図１
2004321996.tif 000002
【特許請求の範囲】
【請求項１】
被除去物を含む流体が収納されるタンクと、前記タンク内に浸漬される第１のフィルタとその表面に堆積した前記被除去物から成る第２のフィルタとで形成されるフィルタ装置と、パイプを介して前記フィルタ装置と接続されたポンプとを有し、
前記第２のフィルタは、前記ポンプの吸引圧により前記第１のフィルタを前記流体が通過することにより形成され、
前記第２のフィルタが形成された前記フィルタ装置を、前記ポンプの吸引圧により前記流体が通過することで前記流体は濾過され、
前記第２のフィルタを形成する工程では、前記流体を濾過する工程よりも前記ポンプの吸引圧が大きいことを特徴とする濾過装置。
【請求項２】
前記ポンプは、インバータ回路により回転が制御される交流モーター、または、電圧により回転が制御されるＤＣモータを備えることを特徴とする請求項１記載の濾過装置。
【請求項３】
前記パイプにリリース弁を介装することで、前記吸引圧を調節することを特徴とする請求項１記載の濾過装置。
【請求項４】
前記パイプには前記吸引圧を計測する圧力計が介装されることを特徴とする請求項１記載の濾過装置。
【請求項５】
前記第２のフィルタを形成する工程では、前記パイプを通過する前記流体は前記タンクに戻され、前記濾過を行う工程では前記パイプを通過する前記流体は濾過装置の外部に放出されることを特徴とする請求項１記載の濾過装置。
【請求項６】
コロイド状の被除去物を含む流体が収納されるタンクと、前記タンク内に浸漬される第１のフィルタとその表面に吸着されるゲル膜より成る第２のフィルタとで形成されるフィルタ装置と、パイプを介して前記フィルタ装置と接続されたポンプとを有し、
前記第２のフィルタは、前記ポンプの吸引圧により前記第１のフィルタを前記流体が通過することにより形成され、
前記第２のフィルタが形成された前記フィルタ装置を、前記ポンプの吸引圧により前記流体が通過することで前記流体は濾過され、
前記第２のフィルタを形成する工程では、前記流体を濾過する工程よりも前記ポンプの吸引圧が大きいことを特徴とする濾過装置。
【請求項７】
前記ポンプは、インバータ回路により回転が制御される交流モーター、または、電圧により回転が制御されるＤＣモータを備えることを特徴とする請求項６記載の濾過装置。
【請求項８】
前記パイプにリリース弁を介装することで、前記吸引圧を制御することを特徴とする請求項６記載の濾過装置。
【請求項９】
前記パイプには前記吸引圧を計測する圧力計が介装されることを特徴とする請求項６記載の濾過装置。
【請求項１０】
前記第２のフィルタを形成する工程では、前記パイプを通過する前記流体は前記タンクに戻され、前記濾過を行う工程では前記パイプを通過する前記流体は濾過装置の外部に放出されることを特徴とする請求項６記載の濾過装置。
【請求項１１】
前記吸引圧は、前記第２のフィルタを構成するゲル状の物質が、前記第１のフィルタに進入しない範囲に制御されることを特徴とする請求項６記載の濾過装置。
【発明の詳細な説明】
【０００１】
【発明の属する技術分野】
本発明は濾過装置に関し、特に、濾過水をフィルタ装置から取り出すポンプの吸引圧を好適に調節できる濾過装置に関するものである。
【０００２】
【従来の技術】
現在、産業廃棄物を減らすこと、また産業廃棄物を分別し再利用することまたは産業廃棄物を自然界に放出させないことは、エコロジーの観点から重要なテーマであり、２１世紀の企業課題である。この産業廃棄物の中には、被除去物が含まれた色々な流体がある。
【０００３】
これらは、汚水、排水、廃液等の色々な言葉で表現されているが、以下、水や薬品等の流体中に被除去物である物質が含まれているものを排水と呼び説明する。これらの排水は、高価な濾過処理装置等で前記被除去物が取り除かれ、排水がきれいな流体となり再利用されたり、分別された被除去物または濾過できず残ったものを産業廃棄物として処理している。特に水は、濾過により環境基準を満たすきれいな状態にして川や海等の自然界に戻されたり、また再利用される。
【０００４】
しかし、濾過処理等の設備費、ランニングコスト等の問題から、これらの装置を採用することが非常に難しく、環境問題にもなっている。
【０００５】
このことからも判るように、排水処理の技術は、環境汚染の意味からも、またリサイクルの点からも重要な問題であり、低イニシャルコスト、低ランニングコストのシステムが早急に望まれている。
【０００６】
一例として、半導体分野に於ける排水処理を以下に説明していく。一般に、金属、半導体、セラミック等の板状体を研削または研磨する際、摩擦による研磨（研削）治具等の温度上昇防止、潤滑性向上、研削屑または切削屑の板状体への付着等が考慮され、水等の流体が研磨（研削）治具や板状体にシャワーリングされている。
【０００７】
具体的には、半導体材料の板状体である半導体ウェハをダイシングしたり、バックグラインドする際、純水を流す手法が取られている。ダイシング装置では、ダイシングブレードの温度上昇防止のために、またダイシング屑がウェハに付着するのを防止するために、半導体ウェハ上に純水の流れを作ったり、ブレードに純水が当たるように放水用のノズルが取り付けられ、シャワーリングされている。またバックグラインドでウェハ厚を薄くする際も、同様な理由により純水が流されている。
【０００８】
前述したダイシング装置やバックグラインド装置から排出される研削屑または研磨屑が混入された排水は、濾過されてきれいな水にして自然界に戻したり、あるいは再利用され、濃縮された排水は、回収されている。
【０００９】
現状の半導体製造に於いて、Ｓｉを主体とする被除去物（屑）の混入された排水の処理には、凝集沈殿法、フィルタ濾過と遠心分離機を組み合わせた方法の二通りがある。
【００１０】
前者の凝集沈殿法では、凝集剤としてＰＡＣ（ポリ塩化アルミニウム）またはＡｌ２（ＳＯ４）３（硫酸バンド）等を排水の中に混入させ、Ｓｉとの反応物を生成させ、この反応物を取り除くことで、排水の濾過をしていた。
【００１１】
後者の、フィルタ濾過と遠心分離を組み合わせた方法では、排水を濾過し、濃縮された排水を遠心分離機にかけて、シリコン屑をスラッジとして回収するとともに、排水を濾過してできたきれいな水を自然界に放出したり、または再利用していた。
【００１２】
例えば、図１３に示すように、ダイシング時に発生する排水は、原水タンク２０１に集められ、ポンプ２０２で濾過装置２０３に送られる。濾過装置２０３には、セラミック系や有機物系のフィルタＦが装着されているので、濾過された水は、配管２０４を介して回収水タンク２０５に送られ、再利用される。または自然界に放出される。
【００１３】
一方、濾過装置２０３は、フィルタＦに目詰まりが発生するため、定期的に洗浄が施される。例えば、原水タンク２０１側のバルブＢ１を閉め、バルブＢ３と原水タンクから洗浄水を送付するためのバルブＢ２が開けられ、回収水タンク２０５の水で、フィルタＦが逆洗浄される。これにより発生した高濃度のＳｉ屑が混入された排水は、原水タンク２０１に戻される。また濃縮水タンク２０６の濃縮水は、ポンプ２０８を介して遠心分離器２０９へ輸送され、遠心分離器２０９により汚泥（スラッジ）と分離液に分離される。Ｓｉ屑から成る汚泥は、汚泥回収タンク２１０に集められ、分離液は分離液タンク２１１に集められる。更に分離液が集められた分離液タンク２１１の排水は、ポンプ２１２を介して原水タンク２０１に輸送される。
【００１４】
これらの方法は、例えば、Ｃｕ、Ｆｅ、Ａｌ等の金属材料を主材料とする固形物または板状体、セラミック等の無機物から成る固形物や板状体等の研削、研磨の際に発生する屑を回収する際も採用されていた。
【００１５】
一方、ＣＭＰ（Ｃｈｅｍｉｃａｌ−Ｍｅｃｈａｎｉｃａｌ  Ｐｏｌｉｓｈｉｎｇ）が新たな半導体プロセス技術として登場してきた。このＣＭＰ技術がもたらすものは、▲１▼平坦なデバイス面形状の実現と、▲２▼基板とは異なる材料の埋め込み構造の実現である。
【００１６】
▲１▼は、リソグラフィ技術を使った微細パターンを精度良く形成するものである。またＳｉウェハの貼り付け技術の併用等で、三次元ＩＣの実現の可能性をもたらすものである。
【００１７】
▲２▼は、埋め込み構造を可能とするものである。従来、ＩＣの多層配線には、タングステン（Ｗ）埋め込み技術が採用されている。これは層間膜の溝にＣＶＤ法でＷを埋め込み、表面をエッチバックして平坦化していたが、最近はＣＭＰにより平坦化されている。この埋め込み技術の応用としては、ダマシンプロセス、素子分離があげられる。これらＣＭＰの技術および応用は、サイエンスフォーラム発行の「ＣＭＰのサイエンス」に詳述されている。
【００１８】
続いて、ＣＭＰの機構を簡単に説明する。図１４に示すように、回転定盤２５０上の研磨布２５１に半導体ウェハ２５２を載せ、研磨材（スラリー）２５３を流しながら擦り合わせ、研磨加工、化学的エッチングすることにより、ウェハ２５２表面の凹凸を無くしている。研磨材２５３の中の溶剤による化学反応と、研磨布と研磨剤の中の研磨砥粒との機械的研磨作用で平坦化されている。研磨布２５１としては、例えば発泡ポリウレタン、不織布などが用いられ、研磨材は、シリカ、アルミナ等の研磨砥粒を、ｐＨ調整材を含んだ水に混合したもので、一般にはスラリーと呼ばれている。このスラリー２５３を流しながら、研磨布２５１にウェハ２５２を回転させながら一定の圧力をかけて擦り合わせるものである。尚、２５４は、研磨布２５１の研磨能力を維持するもので、常に研磨布２５１の表面をドレスされた状態にするドレッシング部である。また２０２、２０８、２１２はモーター、２５５〜２５７はベルトである。
【００１９】
上述した機構は、例えば図１５に示すように、システムとして構築されている。このシステムは、大きく分けると、ウェハカセットのローディング・アンローデイングステーション２６０、ウェハ移載機構部２６１、図１４で説明した研磨機構部２６２、ウェハ洗浄機構部２６３およびこれらを制御するシステム制御から成る。
【００２０】
まずウェハが入ったカセット２６４は、ウェハカセット・ローデイング・アンローディングステーション２６０に置かれ、カセット２６４内のウェハが取り出される。続いて、ウェハ移載機構部２６１、例えばマニプュレータ２６５で前記ウェハを保持し、研磨機構部２６２に設けられた回転定盤２５０の上に載置され、ＣＭＰ技術を使ってウェハが平坦化される。この平坦化の作業が終わると、スラリーの洗浄を行うため、前記マニプュレータ２６６によりウェハがウェハ洗浄機構部２６３に移され、洗浄される。そして洗浄されたウェハは、ウェハカセット２６６に収容される。
【００２１】
例えば、１回の工程で使われるスラリーの量は、約５００ｃｃ〜１リットル／ウェハである。また、前記研磨機構部２６２、ウェハ洗浄機構部２６３で純水が流される。そしてこれらの排水は、ドレインで最終的には一緒になるため、約５リットル〜１０リットル／ウェハの排水が１回の平坦化作業で排出される。例えば３層メタルであると、メタルの平坦化と層間絶縁膜の平坦化で約７回の平坦化作業が入り、一つのウェハが完成するまでには、５〜１０リットルの七倍の排水が排出される。よって、ＣＭＰ装置を使うと、純水で希釈されたスラリーがかなりの量排出されることが判る。そしてこれらの排水は、凝集沈殿法で処理されていた（特許文献１参照）。
【００２２】
【特許文献１】
特開２００１−１５７８９４号公報
【００２３】
【発明が解決しようとする課題】
しかしながら、凝集沈殿法は、凝集剤として化学薬品が投入される。しかし完全に反応する薬品の量を特定するのは非常に難しく、どうしても薬品が多く投入され未反応の薬品が残る。逆に薬品の量が少ないと、全ての被除去物が凝集沈降されず、被除去物が分離せず残ってしまう。特に、薬品の量が多い場合は、上澄液に薬品が残る。これを再利用する場合、濾過流体に薬品が残留するため、化学反応を嫌うものには再利用できない問題があった。
【００２４】
また薬品と被除去物の反応物であるフロックは、あたかも藻の如き浮遊物で生成される。このフロックを形成する条件は、ｐＨ条件が厳しく、攪拌機、ｐＨ測定装置、凝集剤注入装置およびこれらを制御する制御機器等が必要となる。またフロックを安定して沈降させるには、大きな沈殿槽が必要となる。例えば、３立方メートル（ｍ３）／１時間の排水処理能力であれば、直径３メートル、深さ４メートル程度のタンク（約１５トンの沈降タンク）が必要となり、全体のシステムにすると約１１メートル×１１メートル程度の敷地も必要とされる大がかりなシステムになってしまう。
【００２５】
しかも沈殿槽に沈殿せず浮遊しているフロックもあり、これらはタンクから外部に流出する恐れがあり、全てを回収することは難しかった。つまり設備の大きさの点、このシステムによるイニシャルコストが高い点、水の再利用が難しい点、薬品を使う点から発生するランニングコストが高い点等の問題があった。
【００２６】
一方、図１３の如き、５立方メートル（ｍ３）／１時間のフィルタ濾過と遠心分離機を組み合わせた方法では、濾過装置２０３にフィルタＦ（ＵＦモジュールと言われ、ポリスルホン系ファイバで構成されたもの、またはセラミックフィルタ）を使用するため、水の再利用が可能となる。しかし、濾過装置２０３には４本のフィルタＦが取り付けられ、フィルタＦの寿命から、約５０万円／本と高価格なフィルタを、少なくとも年に１回程度、交換する必要があった。しかも濾過装置２０３の手前のポンプ２０２は、フィルタＦが加圧型の濾過方法であるためフィルタの目詰まりが発生してモータの負荷が大きく、ポンプ２０２が高容量であった。また、フィルタＦを通過する排水の内、２／３程度は、原水タンク２０１に戻されていた。更には被除去物が入った排水をポンプ２０２で輸送するため、ポンプ２０２の内壁が削られ、ポンプ２の寿命も非常に短かった。
【００２７】
これらの点をまとめると、モータの電気代が非常にかかり、ポンプＰやフィルタＦの取り替え費用がかかることからランニングコストが非常に大きい問題があった。
【００２８】
更に、ＣＭＰに於いては、ダイシング加工とは、比較にならない量の排水が排出される。スラリーはコロイド状に流体内に分布し、ブラウン運動によりなかなか沈降しない。しかもスラリーに混入される砥粒の粒径は１０〜２００ｎｍの極めて微細なものである。従って、微細な砥粒から成るスラリーをフィルタで濾過すると、フィルタの孔に砥粒が侵入し、すぐに目詰まりを起こし、目詰まりが頻繁に発生するため、排水を大量に処理できない問題があった。
【００２９】
今までの説明からも判るように、地球環境に害を与える物質を可能な限り取り除くため、または濾過流体や分離された被除去物を再利用するために、排水の濾過装置は、色々な装置を追加して大がかりなシステムとなり、結局イニシャルコスト、ランニングコストが膨大と成っている。従って今までの汚水処理装置は、到底採用できるようなシステムでなかった。
【００３０】
また、自己形成膜（プレコートフィルタ）を用いて上記排水を濾過する場合、濾過を行うポンプの制御が困難である問題があった。
【００３１】
【課題を解決するための手段】
本発明は上記の課題に鑑みてなされ、被除去物を含む流体が収納されるタンクと、前記タンク内に浸漬される第１のフィルタとその表面に堆積した前記被除去物から成る第２のフィルタとで形成されるフィルタ装置と、パイプを介して前記フィルタ装置と接続されたポンプとを有し、前記第２のフィルタは、前記ポンプの吸引圧により前記第１のフィルタを前記流体が通過することにより形成され、前記第２のフィルタが形成された前記フィルタ装置を、前記ポンプの吸引圧により前記流体が通過することで前記流体は濾過され、前記第２のフィルタを形成する工程では、前記流体を濾過する工程よりも前記ポンプの吸引圧が大きいことを特徴とする。
【００３２】
更に本発明は、コロイド状の被除去物を含む流体が収納されるタンクと、前記タンク内に浸漬される第１のフィルタとその表面に吸着されるゲル膜より成る第２のフィルタとで形成されるフィルタ装置と、パイプを介して前記フィルタ装置と接続されたポンプとを有し、前記第２のフィルタは、前記ポンプの吸引圧により前記第１のフィルタを前記流体が通過することにより形成され、前記第２のフィルタが形成された前記フィルタ装置を、前記ポンプの吸引圧により前記流体が通過することで前記流体は濾過され、前記第２のフィルタを形成する工程では、前記流体を濾過する工程よりも前記ポンプの吸引圧が大きいことを特徴とする。
【００３３】
本発明では、ポンプの吸引圧を調節することにより、自己形成膜である第２のフィルタの形成工程と、第２のフィルタを用いた濾過工程をスムーズに行うことができる。
【００３４】
一般に、ＣＭＰのスラリーに混入される砥粒のように２００ｎｍクラス以下の粒体を取り除くには、この粒体よりも小さな孔のフィルタ膜を採用するのが一般的である。しかし本発明は、被除去物より成るゲル膜をフィルタとして用い、フィルタに形成される数多くの隙間を流体の通過路として活用している。また本発明はフィルタ自身が被除去物の粒体の集合体であることから、目詰まりの原因となる被除去物をフィルタから離間させることができ、濾過能力の維持が実現できるものである。更に本発明はゲル膜のフィルタが濾過を続けることで目詰まりしても、そのフィルタを再生して濾過を継続でき長時間の濾過が実現できるものである。
【００３５】
【発明の実施の形態】
図１を参照して、本発明の濾過装置２０の構成等を説明する。図１（Ａ）は本発明に係る濾過装置２０の概略構成図であり、図１（Ｂ）はモーターの回転数およびパイプ５６内部の吸引圧の時間的変化を示す特性図である。
【００３６】
図１（Ａ）を参照して、本発明の濾過装置２０は、被除去物を含む流体が収納されるタンク５０と、タンク５０内に浸漬される第１のフィルタとその表面に堆積した被除去物から成る第２のフィルタとで形成されるフィルタ装置５３と、パイプ５６を介してフィルタ装置５３と接続されたポンプ５７とを有し、第２のフィルタはポンプ５７の吸引圧により第１のフィルタを流体が通過することにより形成され、第２のフィルタが形成されたフィルタ装置５３を、ポンプ５７の吸引圧により流体が通過することで前記流体は濾過され、前記第２のフィルタを形成する工程では、前記流体を濾過する工程よりもポンプ５７の吸引圧が大きい構成と成っている。このような構成の濾過装置２０の詳細を以下にて説明する。
【００３７】
先ず、図１（Ａ）を参照して濾過装置２０の概要を説明する。符号５０は原水タンクである。このタンク５０の上方には、排水供給手段としてパイプ５１が設けられている。このパイプ５１は被除去物が混入した流体をタンク５０に導入する。例えば、半導体分野で説明すると、ダイシング装置、バックグラインド装置、ミラーポリッシング装置またはＣＭＰ装置から流れ出るコロイド溶液の被除去物が混入された排水（原水）が導かれる所である。尚、この排水は、ＣＭＰ装置から流れる砥粒、砥粒により研磨または研削された屑が混入された排水として説明していく。また、同図に示すように、排水受入槽１７に一時的に貯留された流体が、パイプ５１を介して原水タンク５０に導入されても良い。
【００３８】
原水タンク５０に貯められた原水５２の中には、第２のフィルタが形成されたフィルタ装置５３が複数個設置される。このフィルタ装置５３の下方には、例えばパイプに小さい孔を開けたような、また魚の水槽に使うバブリング装置の如き、散気管５４が設けられ、ちょうどフィルタ装置５３の表面を通過するようにその位置が調整されている。この散気管５４はフィルタ装置５３の底辺全体に渡って配置され、気泡をフィルタ装置５３の全面に均一に供給出来るようになっている。５５はエアーポンプである。エアーポンプ５５と散気管５４とは、パイプ状の通気管４０により接続されている。
【００３９】
パイプ５１から供給された原水５２は、原水タンク５０に貯められ、フィルタ装置５３により濾過される。このフィルタ装置５３に取り付けられた第２のフィルタ２の表面は、気泡が通過し、気泡の上昇力や破裂により並行流を発生させ、第２のフィルタに吸着するゲル化した被除去物を動かし、フィルタ装置５３の全面に均一に吸着させてその濾過能力が低下しないように維持されている。
【００４０】
ポンプ５７は、パイプ５６を介してフィルタ装置５３と連結されている。即ち、ポンプ５７により発生する吸引力により、フィルタ装置５３で濾過された流体は外部に放出される。また、第２のフィルタを形成する工程や、濾過液が所望の透明度を有していない場合は、フィルタ装置５３から取り出された流体は、原水タンク５０に戻される。即ち、本発明の濾過装置２０は、濾過水を循環させる工程を有している。また、パイプ５６の途中には、その内部の圧力を感知するための圧力計５９が設けられている。そして、圧力計５９で計測したパイプ５６内部の圧力に応答して、ポンプが有するモーターの回転が制御されてその吸引圧が制御されている。また、パイプ５６の途中には、濾過液が一時的に貯留される剥離用の水槽７０が設けられる。
【００４１】
ポンプ５７としては、インバータ回路によりその回転数が制御される交流モーター、または、印加される電圧によりその回転が制御される直流モーター等を備えたもの採用することができる。このように回転数が制御可能なモーターを採用することにより、第２のフィルタを形成する工程と、濾過を行う工程とで、フィルタ装置５３に印加される吸引圧を変化させることができる。特に、本発明では、第１のフィルタの表面に形成されるゲル状の膜を用いて、流体の濾過を行う。従って、回転数が制御可能なモーターを採用することにより、第１のフィルタの孔にゲルが侵入してしまい、第２のフィルタが破壊されてしまうのを防止することができる。ゲル状の第２のフィルタの詳細に関しては後述する。
【００４２】
また、フィルタ装置５３に加印する吸引圧の調整手段としては、上記したモーターの回転数の変化だけではなく、他の手段も採用することができる。例えば、ポンプ５７を稼働するモーターの回転数は固定しておき、パイプ５６の途中にリリース弁を介装することで、フィルタ装置５３に加印する吸引圧を調節することもできる。具体的には、このリリース弁を開くことで吸引圧を小さくすることが可能であり、このリリース弁をしめることで吸引圧を大きくすることが可能である。更には、ポンプ５５の位置を上下方向に移動させることでも、フィルタ装置５３に加印する吸引圧を変化させることも可能である。
【００４３】
図１（Ｂ）を参照して、フィルタ装置５３に印加される吸引圧と、ポンプ５５が備えるモータの回転数との関係を説明する。同図の横軸は時間の変化を示す。左側の縦軸はフィルタ装置５３に加印される吸引圧を示し、ここでは負圧の増加を示している。右側の縦軸はポンプ５７を作動させるモーターの回転数を示している。更に、同図で、点線は吸引圧の変化を示し、実線はモータの回転数の変化を示している。
【００４４】
先ず、原水５２にフィルタ装置５３を浸漬して、ポンプ５５を作動させることにより、第１のフィルタの表面に自己形成膜である第２のフィルタを形成する。この工程が第２のフィルタ形成工程である。この工程では、早期に第２のフィルタを形成するために、ポンプ５５を動作させるモータの回転数をできるだけ早く行う。また、この工程では、取り出された濾過水は、原水タンク５０に戻されても良い。
【００４５】
上記工程により、フィルタ装置５３の第１のフィルタの表面に徐々に自己形成膜である第２のフィルタが形成される。第２のフィルタは、流体中に含まれる被除去物からなり、第１のフィルタと比較するとその孔は微細である。従って、この第２のフィルタの形成に伴い、吸引圧は徐々に低下する。また、この吸引圧は、圧力計５９によりモニタリングされている。
【００４６】
吸引圧が所定の値に達した場合、第２のフィルタが形成されたと判断して、濾過工程に移行する。濾過工程でのモータの回転数は、上記工程よりも遅い回転数と成っている。このようにすることで、吸引圧を所定の値以下にすることが可能であり、過度の吸引圧が第２のフィルタに作用することによる、第２のフィルタの破壊を防止することができる。
【００４７】
また、上記第２のフィルタは、濾過の進行により濾過能力が低下する。そして、濾過能力が低下した第２のフィルタは、剥離用水槽７０から濾過水をフィルタ装置５３に逆流させることにより剥離される。そして、その後にポンプ５７を作動させることにより、フィルタ装置５３に逆流した濾過水を剥離用水槽７０に戻す。この時のポンプ５５の吸引圧は、濾過を行う際よりも大きく設定される。
【００４８】
また、濾過の作業を終了する際は、濾過装置２０を停止させる前に、濾過時よりも吸引圧を小さくしてポンプを所定の時間だけ作動させる。このようにすることにより、濾過装置２０が再稼働した際に、濾過装置２０に与える負荷を小さくすることができる。
【００４９】
図２を参照して更に具体化された濾過装置を説明する。なお、図１に示す濾過装置と同一構成要素は同一符号を付した。
【００５０】
図２において、５０は原水タンクである。このタンク５０の上方には、排水供給手段としてパイプ５１が設けられている。このパイプ５１は被除去物が混入した流体をタンク５０に導入する。例えば、半導体分野で説明すると、ダイシング装置、バックグラインド装置、ミラーポリッシング装置またはＣＭＰ装置から流れ出るコロイド溶液の被除去物が混入された排水（原水）が導かれる所である。尚、この排水は、ＣＭＰ装置から流れる砥粒、砥粒により研磨または研削された屑が混入された排水として説明していく。
【００５１】
エアポンプ５５と散気管５４とを接続する通気管４０には、その途中に調整バルブ４１および停止バルブ４２が介装されている。調整バルブ４１は、所望の量の気体の流れを許容するように設定されており、例えば、ニードル弁等を調整バルブとして採用することができる。停止バルブ４２は、通気管４０内部を流れる気体の開放および遮断を行うためのバルブである。具体的に停止バルブ４２としては、例えばソレノイドを使用したバルブ等を使用することができる。このように、調整バルブ４１Ａと停止バルブ４２とを組み合わせて用いることにより、エアーポンプ５５の出力を固定したままで、停止バルブ４２の開閉を行うのみで、所望の量の気体を散気管５４に供給することができる。
【００５２】
また、通気管４０には、その途中に分岐して並列した経路が複数個設けられている。具体的には、第１の経路４０Ａ、第２の経路４０Ｂおよび第３の経路４０Ｃが分岐して並列している。それぞれの経路には上述した調整バルブ４１および停止バルブ４２が介装されている。
【００５３】
第１の経路４０Ａには、第１の調整バルブ４１Ａおよび第１の停止バルブ４２Ａが介装されている。第１の調整バルブ４１Ａは、フィルタ装置５３が濾過作業等を行う際に適した量の気体が通過する様に調節されている。第１の停止バルブ４２Ａは、フィルタ装置５３で濾過する濾過工程または、ゲル状の第２のフィルタを製膜する工程等で開放される。また、第１の停止バルブ４２Ａが開放状態にある時は、第２の停止バルブ４２Ｂおよび第３の停止バルブ４２Ｃは、遮断状態になっている。このように調節された第１の調整バルブ４１Ａにより、濾過時に於いて、散気管５４から適度な量の気体を供給することが可能となる。従って、散気管５４から上昇する気泡により、原水タンク５０内部の原水は攪拌され、濾過をスムーズに行うことができる。
【００５４】
第２の経路４０Ｂには、第２の調整バルブ４１Ｂおよび第２の停止バルブ４２Ｂが介装されている。第２の調整バルブ４１Ｂは、上述した第１の調整バルブ４１Ａよりも多量の気体が通過するように設定されている。第２の停止バルブ４２Ｂは、フィルタ装置５３を構成するゲル状の第２のフィルタを、第１のフィルタから離脱させる工程（再生工程）で開放される。多量の気体が散気管から原水内部に供給されることにより、第２のフィルタの離脱を行うことができる。第２の停止バルブ４２Ｂが開放状態の際は、第１の停止バルブ４２Ａおよび第３の停止バルブ４２Ｃは、遮断状態になる。
【００５５】
第３の経路４０Ｃには、第３の調整バルブ４１Ｃおよび第３の停止バルブ４２Ｃが介装されている。第３の調整バルブ４１Ｃは、上述した第１の調整バルブ４１Ａおよび第２の調整バルブ４１Ｂよりも、少ない気体が流れるように設定されている。第３の停止バルブ４２Ｃは、濾過装置２０全体が運転を停止している時に開放される。第３の停止バルブ４２Ｃが開放状態のときには、第１の停止バルブ４２Ａおよび第２の停止バルブ４２Ｂは、遮断状態になっている。このように濾過装置２０全体が濾過作業を停止している際に、開放状態になっていることで、散気管５４の目詰まりを防止することができる。
【００５６】
パイプ５６は、フィルタ装置５３で濾過された濾過流体が流れ、バルブＶ１を介して吸引を行うマグネットポンプ５７に接続される。パイプ５８はマグネットポンプ５７からコントロールバルブＣＶ１を介してバルブＶ３およびバルブＶ４に接続されている。またパイプ５６のバルブＶ１の後に第１の圧力計５９が設けられ、吸引圧力Ｐｉｎを測定している。更にパイプ５８のコントロールバルブＣＶ１の後には流量計Ｆおよび第２の圧力計６０が設けられ、流量計６１で一定の流量になるように制御している。またエアーポンプ５５からのエアー流量はコントロールバルブＣＶ２で制御される。
【００５７】
原水タンク５０に貯められた原水５２の中には、第２のフィルタが形成されたフィルタ装置５３が複数個設置される。このフィルタ装置５３の下方には、例えばパイプに小さい孔を開けたような、また魚の水槽に使うバブリング装置の如き、散気管５４がフィルタ装置５３の底辺全体に渡って設けられ、ちょうどフィルタ装置５３の表面を通過するようにその位置が調整されている。５５はエアーポンプである。空気はエアーポンプ５５から供給され、エアー流量計６９を介して散気管５４に導かれる。また、散気管５４とエアーポンプ５５とを接続する通気管４０には、上述した第１の経路４０Ａ、第２の経路４０Ｂおよび第３の経路４０Ｃが設けられている。更に、各経路に設けられた第１の停止バルブ４２Ａ、第２の停止バルブ４２Ｂおよび第３の停止バルブ４２Ｃは、制御部６８と電気的に接続されている。
【００５８】
フィルタ装置５３に固定されたパイプ５６は、フィルタ装置５３で濾過された濾過流体が流れ、バルブＶ１を介して吸引を行うマグネットポンプ５７に接続される。パイプ５８はマグネットポンプ５７から第１のコントロールバルブＣＶ１を介してバルブＶ３およびバルブＶ４に接続されている。またパイプ５６のバルブＶ１の後に第１の圧力計５９が設けられ、吸引圧力Ｐｉｎを測定している。更にパイプ５８の第１のコントロールバルブＣＶ１の後には流量計６１および第２の圧力計６０が設けられ、流量計６１で一定の濾過流量になるように制御している。
【００５９】
また、パイプ５８は光センサ６２に接続され、光センサ６２からは分岐したパイプ６３、６４に導かれる。パイプ６３、６４には光センサ６２からの検出信号で開閉が切り換えられるバルブＶ３、Ｖ４が挿入され、パイプ６３は濾過水をタンク５０に戻し、パイプ６４は濾過水を外部に取り出すようになっている。光センサー６２は濾過水に含まれる微粒子の濃度を監視し、微粒子が所望の混入率よりも低いことを確認して濾過を開始する。濾過が開始される時は、バルブＶ３が光センサー６２からの検出信号で閉じられ、バルブＶ４が開かれて精製水が外部に取り出される。
【００６０】
また、剥離用水槽７０はバルブＶ５によりパイプ５８と接続され、濾過水を貯める働きがあり、一定量を超えるとオーバーフローしてタンク５０にパイプ７１で戻される。その底部にはバルブＶ２が設けられ、パイプ５６と接続されている。この剥離用水槽７０はタンク５０の液面より１０〜２０ｃｍ程度高い位置に設けられ、第２フィルタの再生工程で利用される。
【００６１】
更に、タンク５０にはｐＨ調節機６５、加熱冷却機６６が設けられ、特にＣＭＰ排水のｐＨを６〜７程度に調整をしたり、ゲル化を促進するために排水の温度を調整する。タンク５０から排水がオーバーフローするのを防止するために液面計６７で監視し、排水の流入量を調整する。
【００６２】
更に、この濾過装置の運転を制御する制御装置６８が設けられ、同図で点線で示すようにコントロールバルブＣＶ１、流量計６１、６９、ポンプ５７、圧力計５９、６０、光センサ６２等が各工程毎に制御される。
【００６３】
上述した濾過装置では、第２のフィルタの成膜工程、濾過工程、第２のフィルタの再生工程、再濾過工程、メンテナンス工程において、制御装置６８からの制御で各バルブ等を開閉し、ポンプ５７等の運転を制御している。以下に各工程毎にその運転状況を説明する。なお、図３に各工程でのポンプ５７，光センサ６２、エアーポンプ５５および各バルブの動作状態を示す。
【００６４】
まず、原水タンク５０にコロイド溶液の被除去物が混入された排水をパイプ５１を介して入れる。このタンク５０の中に第２のフィルタ２が形成されていない第１のフィルタ１のみのフィルタ装置５３を所望の濾過流量を得られる枚数だけ間隔を設けて浸漬する。具体的には、１０枚から４０枚程度のフィルタ装置５３が図示しないが支持手段に懸架される。当然フィルタ装置５３の１枚の濾過面積によりこの枚数も異なるが、タンク５０の大きさよりフィルタ装置５３の必要な濾過面積総計は求められる。
【００６５】
次に、第２のフィルタ２の成膜工程に移行する。パイプ５６を介してポンプ５７で微弱な吸引圧力で吸引しながらタンク５０内の排水を循環させる。循環経路はフィルタ装置５３、パイプ５６、バルブＶ１、ポンプ５７、パイプ５８、コントロールバルブＣＶ１、流量計６１、光センサー６２、バルブＶ３であり、排水はタンク５０から吸引されまたタンク５０に戻される。散気管５４からはエアーポンプ５５から第１の経路４０Ａを通り供給される空気の気泡が上昇してフィルタ装置５３の表面に供給されている。即ち、第１の停止バルブ４２Ａを開放状態にして、第１の調整バルブ４１Ａにより所望の量の気体が、散気管５４に供給される。このとき、他のバルブＶ２、Ｖ４、Ｖ５、Ｖ６、Ｄは閉じられている。
【００６６】
排水を循環させることによりフィルタ装置５３の第１のフィルタには、第２のフィルタ２が成膜され、最終的には目的のコロイド溶液の被除去物が捕獲される様になる。（この具体的な原理は後述する）すなわち、ポンプ５７により第１のフィルタ１を介して排水を微弱な吸引圧力で吸引をすると、第１のフィルタ１に近づくにつれて被除去物の微粒子はゲル化して第１のフィルタ１の表面に吸着される。ゲル化した微粒子は第１のフィルタ１のフィルタ孔１１より大きいものが徐々に第１のフィルタ１表面に吸着して積層され、ゲル膜より成る第２のフィルタ２を形成する。なおフィルタ孔１１より径の小さいゲル化した微粒子は第１のフィルタ１を通過するが、第２のフィルタ２の成膜とともに排水中の水はこの隙間を通路として吸引されて第１のフィルタ１を通過して精製水として取り出され、排水は濾過されるようになる。
【００６７】
このとき光センサー６２で濾過水に含まれる微粒子の濃度を監視し、微粒子が所望の混入率よりも低いことを確認して濾過工程に移行する。
【００６８】
続いて、第２のフィルタ２の成膜が完了すると、濾過工程に進む。濾過が開始されると、バルブＶ３が光センサー６２からの検出信号で閉じられ、バルブＶ４が開かれて前述した循環経路は閉じられ、バルブＶ４から濾過水が取り出される。この工程では、流量計６１で一定の濾過流量になるように制御装置６８で制御され、第２のフィルタ２の目詰まりをできるだけ防いで濾過時間を長く保持できるように運転される。図９に示すように、ポンプ５７の吸引圧力Ｐｉｎは徐々に増加され、濾過流量を一定に保持している。なお、他の部分は成膜工程と同様の運転条件となっている。この工程に於いても、散気管５４に供給される気体は、第１の経路４０Ａを介して供給されている。
【００６９】
何らかの原因で第２のフィルタ２が破壊された場合は、光センサ６２で微粒子の混入が検出されて、バルブＶ４が閉じられ、逆にバルブＶ３が開かれて濾過水はタンク５０に戻される。すなわち、成膜工程に逆戻りをして第２のフィルタ２の修復を行い、正常に戻ると再び濾過工程に戻る。
【００７０】
そして連続して濾過が続けられると、原水タンク５０の排水中の水は濾過水としてタンク５０の外に取り出されるので、排水中の被除去物の濃度は上がってくる。すなわち、コロイド溶液は濃縮されて粘度を増してくる。このために原水タンク５０にはパイプ５１から排水を補充して、排水の濃度の上昇を抑えて濾過の効率を上げる。しかし、フィルタ装置５３の第２のフィルタ２表面にゲル膜が厚く付着して、やがて第２のフィルタ２は目詰まりを起こし、濾過が行えない状態になる。
【００７１】
この第１フィルタ１の表面に第２のフィルタ２のゲル膜が厚く吸着されると、濾過流量の減少として流量計６１で検知されて制御装置６８により濾過工程から第２のフィルタの再生工程に移行する。
【００７２】
まず、再生工程ではポンプ５７を停止し、フィルタ装置５３に加わる負の吸引圧力を解除する。同時に、バルブＶ２が開かれて剥離用水槽７０に予め蓄えられた濾過水がバルブＶ１を介してパイプ５６を逆流してフィルタ装置５３の中空部５に送られる。
【００７３】
従って、再生工程ではこの微弱な吸引圧力が停止されてほぼ大気圧に戻るので、フィルタ装置５３の第１のフィルタ１は吸引圧力で窪んだ状態から元の状態に戻る。これにより第２のフィルタ２およびその表面に吸着されたゲル膜も同様に戻る。この結果、まずゲル膜を吸着していた吸引圧力がなくなるので、ゲル膜はフィルタ装置５３への吸着力を失うと同時に外側に膨らむ力を受ける。更に、剥離用水槽７０がタンク５０液面より高い位置に設けられるので、剥離用水槽７０からの濾過水の逆流によりその高低差による静水圧が加わり、フィルタ装置５３の第１のフィルタ１および第２のフィルタ２は外側に膨らむ力が加わる。これにより、吸着したゲル膜は自重および静水圧でフィルタ装置５３から離脱を始める。実験に依れば、フィルタ装置５３の下端から離脱が始まり、雪崩の様に第１のフィルタ１の表面に付着した第２のフィルタ２のゲル膜が離脱し、原水タンク５０の底面に沈降する。続いて前述した循環経路で排水を循環させて第２のフィルタ２の成膜を行うと良い。この再生工程で第２のフィルタ２は元の状態まで戻り、排水の濾過を行える状態まで復帰し、再び排水の濾過を行う。このときにバルブＶ２を閉じてバルブＶ５を開き、剥離用水槽７０に濾過水を貯めておき、次の再生工程に備える。
【００７４】
更に、この離脱を進めるために散気管５４からの気泡の量を２倍程度に増加させると良い。具体的には、第２の停止バルブ４２Ｂを開放状態にして、第１の停止バルブ４２Ａおよび第３の停止バルブ４２Ｃを遮断状態にする。
【００７５】
この後に、再濾過工程に入り再び排水の濾過を開始する。運転条件は濾過工程と同様である。このように第２のフィルタ２を再生させながら何度も濾過を続けると、原水タンク５０の排水の被除去物の濃度が上昇し、やがて排水もかなりの粘度を有する。従って、排水の被除去物の濃度が所定の濃度を超えたら、濾過作業を停止してメンテナンス工程に移行する。
【００７６】
メンテナンス工程はパイプ５６、５８および剥離用水槽７０にある濾過水を排出するステップと、タンク５０内の排水および底部に貯まったゲルを排出するステップから構成される。前のステップでは、ポンプ５７およびエアーポンプ５５を停止し、コントロールバルブＣＶ１、バルブＶ１、Ｖ２、Ｖ５を開いて、パイプ５６、５８および剥離用水槽７０にある濾過水をパイプ５６に設けた排出用のバルブＤより外部に排出する。
【００７７】
また、後のステップでは凝集沈殿させるために放置してタンク５０の底に濃縮スラリーを沈殿させ、このゲルの濃縮スラリーをバルブＶ６を開けて回収する。回収された濃縮スラリーは熱乾燥してその中に含まれる水を蒸発させて更にその量を圧縮する。これにより産業廃棄物として扱われるスラリーの量は大幅に減少できる。上澄みの排水は同様にバルブＶ６から排出され、続く濾過工程においてまたタンク５０に戻される。
【００７８】
ここで前述したフィルタ装置５３、具体的には原水タンク５０の中に浸漬されるフィルタ装置５３について図４および図５を参照しながら説明する。
【００７９】
図４（Ａ）に示す符号３０は、額縁の如き形状のフレームであるこのフレーム３０の両面には第１のフィルタとなるフィルタ膜３１、３２が貼り合わされ固定されている。そしてフレーム３０、フィルタ膜３１、３２で囲まれた内側の空間３３には、パイプ３４を吸引することにより、フィルタ膜３１、３２により濾過される。そしてフレーム３０にシールされて取り付けられているパイプ３４を介して濾過水が取り出されている。もちろんフィルタ膜３１、３２とフレーム３０は、排水がフィルタ膜以外から前記空間３３に侵入しないように完全にシールされている。
【００８０】
図４（Ａ）のフィルタ膜３１、３２は、薄い樹脂膜であるため、吸引されると内側に反り、破壊に至る場合もある。そのため、この空間をできるだけ小さくし、濾過能力を大きくするために、この空間３３を大きく形成する必要がある。これを解決したものが、図４（Ｂ）である。図４（Ｂ）では、空間３３が９個しか示されていないが、実際は数多く形成される。また実際に採用したフィルタ膜３１は、約０．１ｍｍ厚さのポリオレフィン系の高分子膜であり、図４（Ｂ）に示す如く、薄いフィルタ膜が袋状に形成されており、図４（Ｂ）ではＦＴで示した。この袋状のフィルタＦＴの中に、パイプ３４が一体化されたフレーム３０が挿入され、前記フレーム３０と前記フィルタＦＴが貼り合わされている。符号ＲＧは、押さえ手段であり、フィルタＦＴが貼り合わされた枠を両側から押さえるものである。そして押さえ手段の開口部ＯＰからは、フィルタＦＴが露出している。詳細については、図５を参照して再度説明する。
【００８１】
図４（Ｃ）は、フィルタ装置５３自身を円筒形にしたものである。パイプ３４に取り付けられたフレームは、円筒形で、側面には開口部ＯＰ１、ＯＰ２が設けられている。開口部ＯＰ１と開口部ＯＰ２に対応する側面が取り除かれているため、開口部間には、フィルタ膜３１を支持する支持手段ＳＵＳが設けられることになる。そして側面にフィルタ膜３１が貼り合わされる。
【００８２】
更に図５を参照して、図４（Ｂ）のフィルタ装置５３を詳述する。まず図４（Ｂ）のフレーム３０に相当する部分３０ａを図５（Ａ）および図５（Ｂ）で説明する。部分３０ａは、見た限り段ボールの様な形状に成っている。０．２ｍｍ程度の薄い樹脂シートＳＨＴ１、ＳＨＴ２が重なり、その間に縦方向にセクションＳＣが複数個設けられ、樹脂シートＳＨＴ１、ＳＨＴ２，セクションＳＣで囲まれて空間３３が設けられる。この空間３３の断面は、縦３ｍｍ、横４ｍｍから成る矩形であり、別の表現をすると、この矩形断面を持ったストローが何本も並べられ一体化されたような形状である。部分３０ａは、両側のフィルタ膜ＦＴを一定の間隔で維持しているので、以下スペーサと呼ぶ。
【００８３】
このスペーサ３０ａを構成する薄い樹脂シートＳＨＴ１，ＳＨＴ２の表面には、直径１ｍｍの孔ＨＬがたくさん開けられ、その表面にはフィルタ膜ＦＴが貼り合わされている。よって、フィルタ膜ＦＴで濾過された濾過水は、孔ＨＬ、空間３３を通り、最終的にはパイプ３４から出ていく。
【００８４】
またフィルタ膜ＦＴは、スペーサ３０ａの両面ＳＨＴ１、ＳＨＴ２に貼り合わされている。スペーサ３０ａの両面ＳＨＴ１，ＳＨＴ２には、孔ＨＬの形成されていない部分があり、ここに直接フィルタ膜ＦＴ１が貼り付けられると、孔ＨＬの形成されていない部分に対応するフィルタ膜ＦＴ１は、濾過機能が無く排水が通過しないため、被除去物が捕獲されない部分が発生する。この現象を防止するため、フィルタ膜ＦＴは、少なくとも２枚貼り合わされている。一番表側のフィルタ膜ＦＴ１は、被除去物を捕獲するフィルタ膜で、このフィルタ膜ＦＴ１からスペーサ３０ａの表面ＳＨＴ１に向かうにつれて、フィルタ膜ＦＴ１の孔よりも大きな孔を有するフィルタ膜が設けられ、ここではフィルタ膜ＦＴ２が一枚貼り合わされている。依って、スペーサ３０ａの孔ＨＬが形成されていない部分でも、間にフィルタ膜ＦＴ２が設けられているため、フィルタ膜ＦＴ１全面が濾過機能を有するようになり、フィルタ膜ＦＴ１全面に被除去物が捕獲され、第２のフィルタ膜が表裏の面ＳＨ１、ＳＨ２全面に形成されることになる。また図面の都合で、フィルタ膜ＳＨＴ１、ＳＨＴ２が矩形状のシートの様に表されているが、実際は図４Ｂに示すように袋状に形成されている。
【００８５】
次に、袋状のフィルタ膜ＳＨＴ１、ＳＨＴ２、スペーサ３０ａおよび押さえ手段ＲＧがどのように取り付けられているか、図５（Ａ）、図５（Ｃ）および図５（Ｄ）を参照して説明する。
【００８６】
図５（Ａ）は完成図であり、図５（Ｃ）は、図５（Ａ）のＡ−Ａ線に示すように、パイプ３４頭部からパイプ３４の延在方向（縦方向）に切断した図を示し、図５（Ｄ）は、Ｂ−Ｂ線に示すように、フィルタ装置３５を水平方向に切断した断面図である。
【００８７】
図５（Ａ）、図５（Ｃ）、図５（Ｄ）を見ると判るように、袋状のフィルタ膜ＦＴに挿入されたスペーサ３０ａは、フィルタ膜ＦＴも含めて４側辺が押さえ手段ＲＧで挟まれている。そして袋状にとじた３側辺および残りの１側辺は、押さえ手段ＲＧに塗布された接着剤ＡＤ１で固定される。また残りの１側辺（袋の開口部）と押さえ手段ＲＧとの間には、空間ＳＰが形成され、空間３３に発生した濾過水は、空間ＳＰを介してパイプ３４へと吸引される。また押さえ金具ＲＧの開口部ＯＰには、接着剤ＡＤ２が全周に渡り設けられ、完全にシールされ、フィルタ以外から流体が侵入できない構造になっている。
【００８８】
よって空間３３とパイプ３４は連通しており、パイプ３４を吸引すると、フィルタ膜ＦＴの孔、スペーサ３０ａの孔ＨＬを介して流体が空間３３に向かって通過し、空間３３からパイプ３４を経由して外部へ濾過水を輸送できる構造となっている。
【００８９】
ここで用いるフィルタ装置５３は、図５の構造を採用しており、フィルタ膜を取り付けるフレーム（押さえ金具ＲＧ）の大きさはＡ４サイズであり、具体的には縦：約１９ｃｍ、横：約２８．８ｃｍ、厚み：５〜１０ｍｍである。実際にはフィルタ装置５３はフレームの両面に設けられるので、上記した２倍の面積（面積：０．１０９ｍ２）となる。しかし原水タンク５０の大きさによりフィルタ装置の枚数や大きさは自由に選ばれ、求められる濾過量から決められる。
【００９０】
次に、ゲル状の第２のフィルタを用いて原水の濾過を行う原理を説明する。先ず、以下の説明で用いる用語の定義を明確にする。
【００９１】
コロイド溶液とは直径が１ｎｍ〜１μｍの大きさの微粒子が媒質中に分散している状態をいう。この微粒子はブラウン運動をし、普通の濾紙は通過するが半透膜は通過しない性質がある。また凝集速度が非常に遅い性質は微粒子間に静電気反発力が働いているため、接近する機会を少なくしていると考えられている。
【００９２】
ゾルはコロイド溶液とほぼ同義に使用され、ゾルはゲルと異なり液体中に分散していて流動性を示し、微粒子は活発にブラウン運動をしている。
【００９３】
ゲルはコロイド粒子が独立した運動性を失って、集合して固化した状態をいう。例えば寒天やゼラチンは温水に溶かせば分散してゾルになるが、これを冷却すると流動性を失ってゲルとなる。ゲルには液体分の多いヒドロゲルとやや乾燥したキセロゲルとがある。
【００９４】
ゲル化の要因としては、分散媒の水を取り除いて乾燥させたり、シリカスラリー（ｐＨ９〜１０）に電解質塩を添加してｐＨ６〜７までｐＨ調整をしたり、冷却をして流動性を失わせる等がある。
【００９５】
スラリーは粒子と液体および化学薬品を混合して、ポリッシングに使用するコロイド溶液またはゾルを言う。前述したＣＭＰに用いる研磨剤をＣＭＰスラリーと呼んでいる。ＣＭＰスラリーにはシリカ系研磨剤、酸化アルミニウム（アルミナ）系研磨剤、酸化セリウム（セリア）系研磨剤等が知られている。もっともよく利用されるのはシリカ系研磨剤であり、その中でもコロイダルシリカが広く用いられる。コロイダルシリカとは、７〜３００ｎｍのコロイドサイズのシリカ超微粒子が水または有機溶媒中に沈降すること無く均質に分散している分散液であり、シリカゾルとも呼ばれる。このコロイダルシリカは水の中で粒子が単分散しているので、コロイド粒子の相互の反発力で１年以上放置してもほとんど沈降することはない。
【００９６】
まず本発明は被除去物がコロイド溶液あるいはゾルで流体中に含まれた状態の排水から被除去物を濾過により取り除く被除去物の除去方法を提供することにある。
【００９７】
被除去物は、３ｎｍ〜２μｍの粒径分布の微粒子が大量に入ったコロイド溶液（ゾル）であり、例えばＣＭＰに用いるシリカ、アルミナあるいはセリア等の砥粒と砥粒により削られて発生する半導体材料屑、金属屑および／または絶縁膜材料屑である。本実施例ではＣＭＰスラリーとして、キャボット社製Ｗ２０００タングステン研磨用のスラリーを用いた。このスラリーはｐＨ  ２．５、砥粒分布１０〜２００ｎｍのシリカを主成分としている。
【００９８】
本発明の基本的な原理を図６を参照して説明する。本発明は、コロイド溶液（ゾル）の被除去物が混入された流体（排水）を、被除去物から形成したゲル膜から成るフィルタで除去するものである。
【００９９】
具体的に説明すると、有機高分子の第１のフィルタ１表面に、コロイド溶液の被除去物であるＣＭＰスラリーから形成した第２のフィルタ２となるゲル膜を形成し、このフィルタ１、２をタンク内の流体３中に浸漬し、被除去物が入った排水を濾過するものである。
【０１００】
第１のフィルタ１は、ゲル膜を付着させることができれば原理的に考えて有機高分子系、セラミック系とどちらでも採用可能である。ここでは、平均孔径０．２５μｍ、厚さ０．１ｍｍのポリオレフィン系の高分子膜を採用した。このポリオレフィン系から成るフィルタ膜の表面写真を図２（Ｂ）に示した。
【０１０１】
また、第１のフィルタ１はフレーム４の両面に設けられた平膜構造を有し、流体に垂直になるように浸漬され、フレーム４の中空部５からポンプ６により吸引する様に構成され、ろ液７を取り出せる。
【０１０２】
次に、第２のフィルタ２は第１のフィルタ１表面全体に付着され、被除去物のゾルを吸引することでゲル化して形成されるゲル膜である。一般にゲル膜はゼリー状であるので、フィルタとしての働きは無いと考えられている。しかし、本発明ではこのゲル膜の生成条件を選択することで第２のフィルタ２の機能を持たせることができる。この生成条件は後で詳述する。
【０１０３】
では、上記した被除去物のコロイド溶液（ゾル）で被除去物のゲル膜である第２のフィルタ２を形成し、被除去物を取り除く濾過について図６および図７（Ａ）を参照して説明する。
【０１０４】
１は第１のフィルタで、１１はフィルタ孔である。またフィルタ孔１１の開口部および第１のフィルタ１の表面に層状に形成されている膜は、被除去物１３のゲル膜である。この被除去物１３はポンプからの吸引圧力により第１のフィルタ１を介して吸引され、流体３の水分が吸い取られるために乾燥（脱水）してコロイド溶液の被除去物の微粒子がゲル化して結合し、フィルタ孔１１を通過できない大きなゲル膜を第１のフィルター１表面に形成する。このゲル膜が第２のフィルタ２を形成する。
【０１０５】
やがて第２のフィルタ２が所定の膜厚になると第２のフィルタ２は被除去物のゲルを通過させない隙間を形成し、この第２のフィルタ２を利用してコロイド溶液の被除去物の濾過が開始される。従ってポンプ６で吸引しながら濾過を続けると、第２のフィルタ２の表面には徐々にゲル膜が積層されて厚くなり、やがて第２のフィルタ２は目詰まりして濾過を続けられなくなる。この間に被除去物のコロイド溶液はゲル化されながら、第２のフィルタ２の表面に付着してコロイド溶液の水が第１のフィルター１を通過して濾過水として取り出される。
【０１０６】
図７（Ａ）において、第１のフィルタ１の片面には、被除去物が混入されたコロイド溶液の排水があり、第１のフィルタ１の反対面には、第１のフィルタ１を通過した濾過水が生成されている。矢印の方向に排水は吸引されて流れ、この吸引によりコロイド溶液中の微粒子が第１のフィルタ１に近づくにつれて静電気反発力を失いゲル化されていくつかの微粒子が結合したゲル膜が第１のフィルタ１表面に吸着されて第２のフィルタ２が形成される。この第２のフィルタ２の働きでコロイド溶液中の被除去物はゲル化されながら排水の濾過が行われる。第１のフィルタ１の反対面からは濾過水が吸引される。
【０１０７】
このように第２のフィルタ２を介してコロイド溶液の排水をゆっくりと吸引することで、排水中の水が濾過水として取り出せ、被除去物は乾燥してゲル化し第２のフィルタ２表面に積層されて被除去物はゲル膜として捕獲される。
【０１０８】
次に、第２のフィルタ２の生成条件について図８を参照して説明する。図８は第２のフィルタ２の生成条件とその後の濾過量を示している。
【０１０９】
本発明の方法では、まず第２のフィルタ２の生成と濾過の工程から構成されている。第２のフィルタ２の生成条件により濾過時の精製水濾過量が大きく異なり、第２のフィルタ２の精製条件を適切に選択しないと、ゲル膜の第２のフィルタ２でほとんど濾過できないことが明らかとなる。これは従来ではコロイド溶液の濾過は不可能であると言われてきた事実と一致している。
【０１１０】
図８（Ｂ）に示す特性は、図８（Ａ）に示す方法で実験的に求められたものである。すなわち、円筒の容器２１の底部に第１のフィルタ１を設け、キャボット社製Ｗ２０００タングステン研磨用のスラリー２２の原液５０ｃｃを入れて吸引圧力を変えてゲル膜の生成を行う。続いて残ったスラリー２２を捨てて精製水２３を１００ｃｃ入れ、極めて低い吸引圧力で濾過を行うものである。これにより第２のフィルタ２となるゲル膜の濾過特性を調べることが出来る。なお、このときの第１のフィルタ１は直径４７ｍｍのものを用い、その面積は１７３４ｍｍ２である。
【０１１１】
図８（Ｂ）において、ゲル膜の生成工程では、吸引圧力を−５５ｃｍＨｇ、−３０ｃｍＨｇ、−１０ｃｍＨｇ、−５ｃｍＨｇ、−２ｃｍＨｇと変えて１２０分間成膜を行い、ゲル膜の性質を調べた。この結果、吸引圧力を−５５ｃｍＨｇと強く設定すると２時間で濾過量は１６ｃｃと一番多く、順に１２．５ｃｃ、７．５ｃｃ、６ｃｃ、４．５ｃｃとなる。
【０１１２】
次に、精製水に入れ替えてこのゲル膜で濾過を行う。このときの吸引圧力は−１０ｃｍＨｇ一定に設定される。吸引圧力−５５ｃｍＨｇで成膜されたゲル膜ではわずか０．７５ｃｃ／時間しか濾過できない。吸引圧力−３０ｃｍＨｇで成膜されたゲル膜では約１ｃｃ／時間の濾過量である。しかし、吸引圧力−１０ｃｍＨｇのゲル膜では２．２５ｃｃ／時間、吸引圧力−５ｃｍＨｇのゲル膜では３．２５ｃｃ／時間、吸引圧力−２ｃｍＨｇのゲル膜では３．１ｃｃ／時間の濾過量となり、極めて弱い吸引圧力で成膜されたゲル膜は濾過工程でも安定して濾過が行える。この実験結果から、第２のフィルタ２のゲル膜の生成工程では約３ｃｃ／時間の濾過量になるように吸引圧力を設定すれば、その後の濾過工程での濾過量が一番大きくなることが明らかである。
【０１１３】
この理由は吸引圧力が強いと、成膜されるゲル膜が膨潤度が低く、緻密で硬くなり、ゲル膜が水分の含有が少なく収縮された状態で成膜されるので、精製水が浸透する通路がほとんど無くなるためであると考えられる。
【０１１４】
これに対して吸引圧力を弱くすると、成膜されるゲル膜は膨潤度が高く、密度が低く柔らかくなり、ゲル膜に水分の含有が多く膨潤された状態のまま成膜され、精製水が浸透する通路を多く確保できる。ちょうど粉雪がゆっくり降り積もる状態を考えれば容易に理解できる。本発明の特徴はこの微弱な吸引圧力で成膜された膨潤度の高いゲル膜を用いて、このゲル膜に水分が浸透する性質を利用して濾過を実現したことにある。
【０１１５】
図９を参照して、ゲル膜の特性を説明する。図９（Ａ）はゲル膜中に含まれるゾル量と濾過量の関係を示す。ゾルの除去量はスラリー濃度３％の精製水からゲル膜成膜時の濾過量から第１のフィルタ１に捕捉されたゾル量を求めている。このゾル量が吸引による乾燥で第２のフィルタ２としてゲル化して付着した量と考えられる。これから明らかになることは微弱な吸引により第２のフィルタ２を成膜したときほどゾル量が少ないことが分かる。すなわち、３ｃｃ／時間の濾過量のときに消費されるゾル量は０．１５ｃｃと極めて少なく、第２のフィルタ２に含まれるゾル量が少ないほど濾過量は多くなる。これが本発明の重要なポイントを示唆するもので、出来るだけゾル量の少ない第２のフィルタ２を形成することでコロイド溶液の排水の濾過を実現可能にするものである。
【０１１６】
また、図９（Ｂ）では上述したゾル除去量とゲル膜の体積からその膨潤度すなわちゲル膜中のゾルの密度を示す。吸引圧力が−３０ｍｍＨｇのときの第２のフィルタ２の膜厚が６ｍｍ、吸引圧力が−１０ｍｍＨｇのときの第２のフィルタ２の膜厚が４ｍｍである実験結果から、膨潤度は２７から３０に増加している。すなわち、吸引圧力が大きいほど膨潤度が低下し、第２のフィルタ２のゾル量の密度が高くなることを示している。さらに重要なことは吸引圧力が低いほど第２のフィルタ２の膜厚も薄くなり且つ膨潤度も大きくなり、図９（Ｂ）に示す吸引圧力を微弱にして形成した第２のフィルタ２の濾過時の濾過量が多く且つ長時間濾過できることを裏付けている。
【０１１７】
従って、本発明で主に０．１５μｍ以下の微粒子のコロイド溶液の排水が濾過できる大きなポイントは第２のフィルタ２の成膜条件に依るところが大きいことが明確になる。
【０１１８】
図７（Ａ）に示すフィルタは図６のフィルタの片側を示しており、実際にはゲル膜がどのように付着するかを説明する模式図である。
【０１１９】
第１のフィルタ１はコロイド溶液の排水に垂直に立って浸漬され、排水は被除去物１３が分散したコロイド溶液となっている。被除去物１３は小さい黒丸で示している。ポンプ６により第１のフィルタ１を介して排水を微弱な吸引圧力で吸引をすると、第１のフィルタ１に近づくにつれて被除去物の微粒子はゲル化して第１のフィルタ１の表面に吸着される。白丸で示すゲル化した微粒子１４は第１のフィルタ１のフィルタ孔１１より大きいものが徐々に第１のフィルタ１表面に吸着して積層され、ゲル膜より成る第２のフィルタ２を形成する。なおフィルタ孔１１より径の小さいゲル化した微粒子１４は第１のフィルタ１を通過するが、第２のフィルタ２を成膜する工程では濾過水は再び排水に循環されるので問題はない。そして前述したように約１２０分間を掛けて第２のフィルタ２が形成される。この成膜する工程では、極めて微弱な吸引圧力で吸引されているのでゲル化した微粒子１４はいろいろな形状の隙間を形成しながら積層され、極めて膨潤度の低い柔らかなゲル膜の第２のフィルタ２となる。排水中の水はこの膨潤度の高いゲル膜を浸透して吸引されて第１のフィルタ１を通過して濾過水として取り出され、最終的に排水は濾過されることになる。
【０１２０】
すなわち、本発明では膨潤度の高いゲル膜で第２のフィルタ２を形成し、第１のフィルタ１から微弱な吸引圧力で吸引することで第１のフィルタ１に接するゲル膜に含まれる水分を脱水させてゲル膜を収縮させ、そのゲル膜に排水に接するゲル膜から水分を浸透させて補給して膨潤させることを繰り返して、第２のフィルタ２を水分のみ浸透させて濾過するのである。
【０１２１】
また、第１のフィルタ１には排水の底面から空気の気泡１２を送り、第１のフィルタ１の表面に沿って排水に並行流を形成している。これは第２のフィルタ２が第１のフィルタ１の表面全体に均一に付着するためと第２のフィルタ２に隙間を形成して柔らかく付着するためである。具体的には１．８リットル／分のエアー流量に設定をしているが、第２のフィルタ２の膜質により選択される。
【０１２２】
次に濾過工程では、この第２のフィルタ２の表面に微弱な吸引圧力により白丸で示すゲル化した微粒子１４が吸着されながら徐々に積層される。このときに精製水は第２のフィルタ２および更に積層される白丸で示すゲル化した微粒子１４を浸透して第１のフィルタ１から濾過水として取り出される。すなわち排水に含まれる、例えばＣＭＰの場合にはシリカ、アルミナあるいはセリア等の砥粒と砥粒により削られて発生する半導体材料屑、金属屑および／または絶縁膜材料屑等の加工屑はゲルとして第２のフィルタ２の表面に徐々に積層して捕獲され、水はゲル膜を浸透して第１のフィルタ１から濾過水として取り出せる。
【０１２３】
しかし、図８（Ｂ）に示すように長時間濾過を続けると、第２のフィルタ２表面には厚くゲル膜が付着されるために上述した隙間もやがて目詰まりを起こし、濾過水は取り出せなくなる。このために濾過能力を再生するにはこの積層されたゲル膜を除去することが必要になる。
【０１２４】
続いて、図２に示す濾過装置を用いて実際の濾過方法を具体的に説明する。
【０１２５】
まず原水タンク５０にコロイド溶液の被除去物が混入された排水をパイプ５１を介して入れる。このタンク５０の中に第２のフィルタ２が形成されていない第１のフィルタ１のみのフィルタ装置５３を浸漬し、パイプ５６を介してポンプ５７で微弱な吸引圧力で吸引しながら排水を循環させる。循環経路はフィルタ装置５３、パイプ５６、バルブＶ１、ポンプ５７、パイプ５８、コントロールバルブＣＶ１、流量計６１、光センサー６２、バルブＶ３であり、排水はタンク５０から吸引されまたタンク５０に戻される。
【０１２６】
循環させることによりフィルタ装置５３の第１のフィルタには、第２のフィルタ２が成膜され、最終的には目的のコロイド溶液の被除去物が捕獲される様になる。
【０１２７】
すなわち、ポンプ５７により第１のフィルタ１を介して排水を微弱な吸引圧力で吸引をすると、第１のフィルタ１に近づくにつれて被除去物の微粒子はゲル化して第１のフィルタ１の表面に吸着される。ゲル化した微粒子は第１のフィルタ１のフィルタ孔１１より大きいものが徐々に第１のフィルタ１表面に吸着して積層され、ゲル膜より成る第２のフィルタ２を形成する。なおフィルタ孔１１より径の小さいゲル化した微粒子は第１のフィルタ１を通過するが、第２のフィルタ２の成膜とともに排水中の水はこの隙間を通路として吸引されて第１のフィルタ１を通過して精製水として取り出され、排水は濾過されるようになる。
【０１２８】
光センサー６２で濾過水に含まれる微粒子の濃度を監視し、微粒子が所望の混入率よりも低いことを確認して濾過を開始する。濾過が開始される時は、バルブＶ３が光センサー６２からの検出信号で閉じられ、バルブＶ４が開かれて前述した循環経路は閉じられる。従って、バルブＶ４から精製水が取り出される。散気管５４からは常時エアーポンプ５５から供給される空気の気泡がコントロールバルブＣＶ２で調整されてフィルタ装置５３の表面に供給されている。
【０１２９】
そして連続して濾過が続けられると、原水タンク５０の排水中の水は精製水としてタンク５０の外に取り出されるので、排水中の被除去物の濃度は上がってくる。すなわち、コロイド溶液は濃縮されて粘度を増してくる。このために原水タンク５０にはパイプ５１から排水を補充して、排水の濃度の上昇を抑えて濾過の効率を上げる。しかし、フィルタ装置５３の第２のフィルタ２表面にゲル膜が厚く付着して、やがて第２のフィルタ２は目詰まりを起こし、濾過が行えない状態になる。
【０１３０】
フィルタ装置５３の第２のフィルタ２が目詰まりを起こすと、第２のフィルタ２の濾過能力の再生を行う。すなわち、ポンプ５７を停止し、フィルタ装置５３に加わる負の吸引圧力を解除する。
【０１３１】
図１０に示すその模式図を参照して、その再生工程を更に詳述する。図１０（Ａ）は濾過工程のフィルタ装置５３の状態を示している。第１のフィルタ１の中空部５は微弱な吸引圧力によりは外側と比較すれば負圧となっているので、第１のフィルタ１は内側に窪んだ形状になっている。従って、その表面に吸着される第２のフィルタ２も同様に内側に窪んだ形状になっている。更に第２のフィルタ２の表面に徐々に吸着されるゲル膜も同様である。
【０１３２】
ところが、図１０（Ｂ）を参照して、再生工程ではこの微弱な吸引圧力が停止されてほぼ大気圧に戻るので、フィルタ装置５３の第１のフィルタ１は元の状態に戻る。これにより第２のフィルタ２およびその表面に吸着されたゲル膜も同様に戻る。この結果、まずゲル膜を吸着していた吸引圧力がなくなるので、ゲル膜はフィルタ装置５３への吸着力を失うと同時に外側に膨らむ力を受ける。これにより、吸着したゲル膜は自重でフィルタ装置５３から離脱を始める。更に、この離脱を進めるために散気管５４からの気泡の量を２倍程度に増加させると良い。実験に依れば、フィルタ装置５３の下端から離脱が始まり、雪崩の様に第１のフィルタ１表面の第２のフィルタ２のゲル膜が離脱し、原水タンク５０の底面に沈降する。その後、第２のフィルタ２は前述した循環経路で排水を循環させて再度成膜を行うと良い。この再生工程で第２のフィルタ２は元の状態まで戻り、排水の濾過を行える状態まで復帰し、再び排水の濾過を行う。
【０１３３】
更に、この再生工程で中空部５に濾過水を逆流させると、第１に、第１のフィルタ１が元の状態に戻るのを助け且つ濾過水の静水圧が加わり更に外側に膨らむ力を加え、第２に、第１のフィルタ１の内側からフィルタ孔１１を通して濾過水が第１のフィルタ１と第２のフィルタ２の境界にしみ出して第１のフィルタ１の表面から第２のフィルタ２のゲル膜が離脱するのを促進する。
【０１３４】
上述のように第２のフィルタ２を再生させながら濾過を続けると、原水タンク５０の排水の被除去物の濃度が上昇し、やがて排水もかなりの粘度を有する。従って、排水の被除去物の濃度が所定の濃度を超えたら、濾過作業を停止し沈殿させるために放置する。するとタンク５０の底に濃縮スラリーが貯まり、このゲルの濃縮スラリーをバルブ６４を開けて回収する。回収された濃縮スラリーは圧縮または熱乾燥してその中に含まれる水を除去して更にその量を圧縮する。これにより産業廃棄物として扱われるスラリーの量は大幅に減少できる。
【０１３５】
図１１を参照して、図２に示す濾過装置の運転状況を説明する。運転条件は前述したＡ４サイズのフィルタ装置５３の１枚の両面（面積：０．１０９ｍ２）を用いたものである。初期流量は前述したように濾過効率の良い３ｃｃ／時間（０．０８ｍ３／日）に設定し、再生後流量も同じに設定している。エアーブロー量は成膜および濾過時１．８Ｌ／分、再生時３Ｌ／分としている。Ｐｉｎおよび再Ｐｉｎは吸引圧力であり、圧力計５９で測定される。Ｐｏｕｔおよび再Ｐｏｕｔはパイプ５８の圧力であり、圧力計６０で測定される。流量および再流量は流量計６１で測定され、フィルタ装置５３から吸引される濾過量を表している。
【０１３６】
図１１で左側のＹ軸は圧力（単位：ＭＰａ）を示し、Ｘ軸に近づくほど負圧が大きくなることを示している。右側のＹ軸は流量（単位：ｃｃ／分）を示す。Ｘ軸は成膜からの経過時間（単位：分）を示す。
【０１３７】
本発明のポイントであるが、第２のフィルタ２の成膜工程、濾過工程および再生後の濾過工程において、流量および再流量は３ｃｃ／時間を維持するように制御している。このために成膜工程ではＰｉｎは−０．００１ＭＰａから−０．００５ＭＰａと極めて微弱の吸引圧力で柔らかく吸着されたゲル膜で第２のフィルタ２を形成している。
【０１３８】
次に、濾過工程ではＰｉｎは−０．００５ＭＰａから徐々に大きくして、一定の流量を確保しながら濾過を続ける。濾過は約１０００分続けられ、やがて流量が減少し始めてときに再生工程を行う。これは第２のフィルタ２の表面にゲル膜が厚く付着して目詰まりを起こすためである。
【０１３９】
更に、第２のフィルタ２の再生が行われると、徐々に再Ｐｉｎを大きくしながら一定の再流量で再度濾過を続ける。第２のフィルタ２の再生および再濾過は原水５２が所定の濃度、具体的には濃縮度が５倍から１０倍になるまで続けられる。
【０１４０】
また、上述した運転方法とは異なり、吸引圧力を濾過流量の多い−０．００５ＭＰａに固定して濾過を行う方法も採用できる。この場合は、第２のフィルタ２の目詰まりとともに濾過流量は徐々に減少するが、濾過時間を長く取れ且つポンプ５７の制御が簡単となる利点がある。従って、第２のフィルタ２の再生は濾過流量が一定値以下に減少したときに行えば良い。
【０１４１】
図１２（Ａ）は、ＣＭＰ用スラリーの中に含まれる砥粒の粒径分布を示すものである。この砥粒は、Ｓｉ酸化物から成る層間絶縁膜をＣＭＰするものであり、材料はＳｉ酸化物から成り、一般にシリカと呼ばれているものである。最小粒子径は約０．０７６μｍ、最大粒子径は、０．３４μｍであった。この大きな粒子は、この中の粒子が複数集まって成る凝集粒子である。また平均粒径は、約０．１４４８μｍであり、この近傍０．１３〜０．１５μｍで分布がピークとなっている。またスラリーの調整剤としては、ＫＯＨまたはＮＨ３が一般的に用いられる。またｐＨは、約１０から１１の間である。
【０１４２】
具体的に、ＣＭＰ用の砥粒はシリカ系、アルミナ系、酸化セリウム系、ダイヤモンド系が主にあり、他に酸化クロム系、酸化鉄系、酸化マンガン系、ＢａＣＯ４系、酸化アンチモン系、ジルコニア系、イットリア系がある。シリカ系は、半導体の層間絶縁膜、Ｐ−Ｓｉ、ＳＯＩ等の平坦化、Ａｌ・ガラスディスクの平坦化に使用されている。アルミナ系は、ハードディスクのポリッシング、金属全般、Ｓｉ酸化膜等の平坦化に使用されている。また酸化セリウムは、ガラスのポリッシング、Ｓｉ酸化物のポリッシングとして、酸化クロムは、鉄鋼の鏡面研磨に使用されている。また酸化マンガン、ＢａＣＯ４は、タングステン配線のポリッシングに使用されている。
【０１４３】
更には、酸化物ゾルと呼ばれ、このゾルは、シリカ、アルミナ、ジルコニア等、金属酸化物または一部水酸化物から成るコロイドサイズの微粒子が水または液体中に均一に分散されているモノで、半導体デバイスの層間絶縁膜やメタルの平坦化に使用され、またアルミ・ディスク等の情報ディスクにも検討されている。
【０１４４】
図１２（Ｂ）は、ＣＭＰ排水が濾過され、砥粒が捕獲されていることを示すデータである。実験では、前述したスラリーの原液を、純水で５０倍、５００倍、５０００倍に薄め、試験液として用意した。この３タイプの試験液は、従来例で説明したように、ＣＭＰ工程に於いて、ウェハが純水で洗浄されるため、排水は、５０倍〜５０００倍程度になると想定し、用意された。
【０１４５】
この３つのタイプの試験液の光透過率を４００ｎｍの波長の光で調べると、５０倍の試験液は、２２．５％、５００倍の試験液は、８６．５％、５０００倍の試験液は、９８．３％である。原理的には、排水に砥粒が含まれていなければ、光は散乱されず、限りなく１００％に近い数値をとるはずである。
【０１４６】
これら３つのタイプの試験液に前記第２のフィルタ膜１３が形成されたフィルタを浸漬し濾過すると、濾過後の透過率は、３つのタイプとも９９．８％となった。つまり濾過する前の光透過率よりも濾過後の光透過率の値が大きいため、砥粒は捕獲できている。尚、５０倍希釈の試験液の透過率データは、その値が小さいため図面には出てこない。
【０１４７】
以上の結果から、本発明の濾過装置に設けたフィルタ装置５３のゲル膜より成る第２のフィルタ２でＣＭＰ装置から排出されるコロイド溶液の被除去物を濾過すると、透過率で９９．８％程度まで濾過できることが判った。
【０１４８】
また、上記説明では、ゲル状の自己形成膜である第２のフィルタを用いた流体の濾過方法に関して説明したが、自己形成膜はゲル状のもののみに限定されない。本願の構成は、他の種類の自己形成膜（プレコートフィルタ）を用いた濾過装置および濾過方法に適用することも可能である。
【０１４９】
【発明の効果】
本発明では、自己形成膜である第２のフィルタを用いて濾過を行う濾過装置において、吸引圧が調節可能なモータを有するポンプを用いて、フィルタ装置５３からの濾過水の取り出しを行っている。従って、自己形成膜である第２のフィルタを形成する工程ではモータを高速に回転させ、形成された自己形成膜を用いた濾過工程ではモータを低速で回転させることができる。従って、第２のフィルタを形成する工程では、早期に第２のフィルタを形成することが可能となる。更に、濾過工程では、過度の吸引圧により、第２のフィルタが破壊されてしまうのを防止することができる。
【０１５０】
更に、第２のフィルタがゲル状の自己形成膜である場合は、濾過工程でモータを低速で回転させることにより、ゲルを所望の膨潤度に保つことができる。更に、ゲル状の第２のフィルタが、第１のフィルタの孔に侵入してしまうのを防止することができる。
【０１５１】
更に、ＣＭＰのスラリーに混入される砥粒のように主に０．１５μｍクラス以下の微粒子を取り除くには、この微粒子よりも小さな孔のフィルタ膜を採用するのが一般的である。しかし、本発明は主に０．１５μｍ以下の小さな孔のフィルタ膜を用いることなく、コロイド溶液の被除去物をゲル膜のフィルタを成膜して濾過出来る濾過装置を実現した。
【図面の簡単な説明】
【図１】本発明の濾過装置を説明する図である。
【図２】本発明の具体化された濾過装置を説明する図である。
【図３】本発明の更に具体化された濾過装置の運転状況を説明する図である。
【図４】本発明のフィルタ装置を説明する図である。
【図５】本発明の更に具体化されたフィルタ装置を説明する図である。
【図６】本発明のフィルタを説明する図である。
【図７】本発明のフィルタの動作原理を説明する図である。
【図８】本発明の第２のフィルタの成膜条件を説明する（Ａ）断面図および（Ｂ）特性図である。
【図９】本発明の第２のフィルタの特性を説明する図である。
【図１０】本発明のフィルタ装置の再生を説明する図である。
【図１１】本発明の濾過装置の運転状況を説明する図である。
【図１２】本発明の濾過特性を説明する図である。
【図１３】従来の濾過システムを説明する図である。
【図１４】ＣＭＰ装置を説明する図である。
【図１５】ＣＭＰ装置のシステムを説明する図である。
【符号の説明】
１                      第１のフィルタ
２                      第２のフィルタ
４                      フレーム
５                      中空部
６                      ポンプ
７                      ろ液
１１                    フィルタ孔
４０                    通気管
５０                    原水タンク
５２                    原水
５３                    フィルタ装置
５７                    ポンプ
６１                    流量計
６２                    光センサ
【図１】
2004321996.tif 000003
【図２】
2004321996.tif 000004
【図３】
2004321996.tif 000005
【図４】
2004321996.tif 000006
【図５】
2004321996.tif 000007
【図６】
2004321996.tif 000008
【図７】
2004321996.tif 000009
【図８】
2004321996.tif 000010
【図９】
2004321996.tif 000011
【図１０】
2004321996.tif 000012
【図１１】
2004321996.tif 000013
【図１２】
2004321996.tif 000014
【図１３】
2004321996.tif 000015
【図１４】
2004321996.tif 000016
【図１５】
2004321996.tif 000017